(57)【要約】創傷浸出物格納装置が記載され、ここでチャンバーは、創傷浸出物を真空チューブから除去するために設けられ、それによってチャンバーは創傷及び陰圧源から容易に取り外しができる。例示的な装置は、壁を有する真空チューブであって、壁は、外部表面、内部表面、陰圧源と流体的に連通した第１端、創傷浸出物源と流体的に連通した第２端、及び壁を貫通する１つ以上の孔を有する第１及び第２端の間の部分を有する、真空チューブと、チューブの孔が開けられた部分の外部表面の周りを囲み、その真空を維持するチャンバーと、チューブの孔が開けられた部分の外部表面に隣接するチャンバー内に配置された吸収材料と、第１端及び孔が開けられた部分の間の真空チューブの内部表面に配置された１つ以上の透湿性プラグと、を備える。
2014500753.tif 000002
【特許請求の範囲】
【請求項１】
壁を有する真空チューブであって、前記壁は、外部表面、内部表面、陰圧源と流体的に連通した第１端、創傷浸出物源と流体的に連通した第２端、及び前記壁を貫通する１つ以上の孔を有する前記第１及び第２端の間の部分を有する、真空チューブと、
前記チューブの前記孔が開けられた部分の前記外部表面の周りを囲み、その真空を維持するチャンバーと、
前記チューブの前記孔が開けられた部分の前記外部表面に隣接する前記チャンバー内に配置された吸収材料と、
前記第１端及び前記孔が開けられた部分の間の前記真空チューブの前記内部表面に配置された１つ以上の透湿性プラグと、
を備える創傷浸出物格納装置。
【請求項２】
前記真空チューブは可撓性である請求項１に記載の装置。
【請求項３】
前記チャンバーは可撓性である請求項１に記載の装置。
【請求項４】
前記チャンバーは円筒形であり、前記チューブに沿った軸を有する請求項１に記載の装置。
【請求項５】
前記流体吸収材料は、フィルタ材料を備える請求項１に記載の装置。
【請求項６】
前記吸収材料は、流体を効果的に移動させるが、乾燥剤は移動させない、液体透過性バリア材料を備える請求項１に記載の装置。
【請求項７】
前記チャンバー内に配置され、前記チューブの前記孔が開けられた部分から前記吸収材料によって分離された乾燥剤をさらに備える請求項１に記載の装置。
【請求項８】
前記チューブから前記陰圧源を分離する第１真空ライン接続部をさらに備える請求項１に記載の装置。
【請求項９】
前記チャンバー及び前記第１真空ライン接続部の間に配置された第１チューブクランプをさらに備える請求項８に記載の装置。
【請求項１０】
前記創傷浸出物源から前記チューブを分離する第２真空ライン接続部をさらに備える請求項１に記載の装置。
【請求項１１】
前記チャンバー及び前記第２真空ライン接続部の間に配置された第２チューブクランプをさらに備える請求項１０に記載の装置。
【請求項１２】
前記１つ以上のプラグは液体透過性である請求項１に記載の装置。
【請求項１３】
前記陰圧源は、電池の電力、交流電源の電力、及び手動による電力から選択される電力で駆動される請求項１に記載の装置。
【請求項１４】
真空ゲージをさらに備える請求項１に記載の装置。
【請求項１５】
抗菌材料をさらに備える請求項１に記載の装置。
【請求項１６】
前記抗菌材料は、前記チャンバー内に配置され、前記チューブの前記孔が開けられた部分から前記吸収材料によって分離されている、請求項１５に記載の装置。
【請求項１７】
脱臭剤をさらに備える請求項１に記載の装置。
【請求項１８】
前記脱臭剤は、前記チャンバー内に配置され、前記チューブの前記孔が開けられた部分から前記吸収材料によって分離されている、請求項１７に記載の装置。
【請求項１９】
チューブの一端に陰圧源からの真空を印加することであって、チューブの他端は創傷浸出物源と流体的に連通している、真空を印加することと、
前記チューブから、前記チューブの壁の部分にある１つ以上の孔を通して、チューブの孔が開けられた外部の周りを囲み、真空を維持するチャンバー内に配置された吸収材料内へ創傷浸出物を捕集することと、
前記１つ以上の孔及び前記陰圧源の間の前記チューブ内に配置された１つ以上の透湿性プラグを用いて、前記陰圧源に創傷浸出物が入ることを阻止することと、
を含む創傷からの浸出物を格納する方法。
【請求項２０】
前記チューブは可撓性である請求項１９に記載の方法。
【請求項２１】
前記チャンバーは可撓性である請求項１９に記載の方法。
【請求項２２】
前記チャンバーは円筒形であり、前記チューブに沿った軸を有する請求項２１に記載の方法。
【請求項２３】
前記流体吸収材料は、フィルタ材料を備える請求項１９に記載の方法。
【請求項２４】
前記吸収材料は、流体を効果的に移動させるが、乾燥剤は移動させない、液体透過性バリア材料を備える請求項１９に記載の方法。
【請求項２５】
前記チャンバー内に配置され、前記チューブの前記孔が開けられた部分から前記吸収材料によって分離された乾燥剤をさらに備える請求項１９に記載の方法。
【発明の詳細な説明】
【技術分野】
【０００１】
本発明は大まかには真空ラインを用いて創傷周辺から引き出される創傷浸出物物質の捕捉に関する。
【背景技術】
【０００２】
陰圧創傷療法は、これらには限定されないが例えば、肉芽形成の微視的刺激、巨視的機械的保持、血流の刺激、浮腫の低減、及び回復抑制酵素及び傷汚染物の除去を含むさまざまな点で傷の回復を改善する。陰圧治療を提供するための１つの結果として、排液を集め除去する必要がある。重度の創傷は、大量の副生成物質を浸出させることがときどきある。創傷浸出物質つまり創傷副生成物質を真空又は陰圧システムを介して除去することが有利である。典型的には、陰圧創傷被覆材は、１週間に１〜４回交換される。しかし採用される収集キャニスターは、創傷によって大幅に異なる創傷浸出物の排液量の量に依存して、多少は頻回に交換されなければならないこともある。
【０００３】
創傷処置の技術分野においては、真空又は陰圧源が真空チューブライン、創傷と真空チューブラインとが接触するようにする創傷テープ材料、及び副生成物を保持するための貯溜器キャニスターを介して創傷に接触している。
【発明の概要】
【発明が解決しようとする課題】
【０００４】
しばしば貯溜器キャニスターは、陰圧システムに取り付けられている。貯溜器は、典型的には液体である副生成物が機械的真空又は陰圧装置の中に流れ込まないよう、監視されなければならない。貯溜器キャニスターは、真空又は陰圧装置の大部分をしばしば含む。貯溜器キャニスター及び真空装置の組み合わせは、毎日の生活の活動の間に患者によって容易に運ぶには、しばしばかさばり、扱いにく過ぎる。このようなかさばる真空ユニットのせいで、患者は治療計画を完遂する気が進まなくなる。
【０００５】
創傷浸出物を除去する他の手段には、創傷に吸収材を貼付することが挙げられる。いったん吸収材が創傷浸出物の飽和点に達すると、吸収材を取り除かなければならない。創傷から完全に液がなくなるまで、新しい吸収材を創傷に貼付しなければならない。創傷浸出物をさらになくすために、創傷を再び覆うプロセスは、しばしば面倒であり、追加の材料を使わざるを得なくなる。患者は、非常に多くの場合は、必要とされるドレッシング交換ができないか、又はしたがらない。もしドレッシングが適切に交換されないと、患者にとっては感染及び創傷治癒合併症のリスクが高まる。
【０００６】
上述の方法の両方は、他の方法と同様に、治癒しつつある創傷を効果的に排液するための材料、機器、又は努力を多大に要求する。
【課題を解決するための手段】
【０００７】
したがって本発明の目的は、創傷浸出物を除去するために、インライン真空創傷浸出液捕集装置を提供することである。
【０００８】
本発明のさらなる目的、優位性、及び新規な特徴は、後に続く説明において一部は述べられ、一部は以下を吟味すれば当業者には明らかになり、又は本発明の実施によって習得され得る。本発明の目的及び優位性は、添付の特許請求の範囲において具体的に記載された手段及び組み合わせによって実現され得て、達成され得る。
【０００９】
前述の目的、及び他の目的を達成するために、本発明の目的にしたがって実現され、ここに広く記載されるように、創傷浸出物格納装置は、壁を有する真空チューブであって、前記壁は、外部表面、内部表面、陰圧源と流体的に連通した第１端、創傷浸出物源と流体的に連通した第２端、及び前記壁を貫通する１つ以上の孔を有する前記第１及び第２端の間の部分を有する、真空チューブと、前記チューブの前記孔が開けられた部分の前記外部表面の周りを囲み、その真空を維持するチャンバーと、前記チューブの前記孔が開けられた部分の前記外部表面に隣接する前記チャンバー内に配置された吸収材料と、前記第１端及び前記孔が開けられた部分の間の前記真空チューブの前記内部表面に配置された１つ以上の透湿性プラグと、を含む。
【００１０】
本発明の他の実施形態においては、その目的にしたがって、創傷からの浸出物を格納する方法は、チューブの一端に陰圧源からの真空を印加することであって、チューブの他端は創傷浸出物源と流体的に連通している、真空を印加することと、前記チューブから、前記チューブの壁の部分にある１つ以上の孔を通して、チューブの孔が開けられた外部の周りを囲み、真空を維持するチャンバー内に配置された吸収材料内へ創傷浸出物を捕集することと、前記１つ以上の孔及び前記陰圧源の間の前記チューブ内に配置された１つ以上の透湿性プラグを用いて、前記陰圧源に創傷浸出物が入ることを阻止することと、を含む。
【００１１】
本発明の利点及び効果は、以下には限定されないが、より扱いやすい装置、及び創傷からの創傷副生成物の蓄積を減らすことによってより優位性のある、より清潔な創傷治療を提供することである。
【図面の簡単な説明】
【００１２】
【図１】図１は、本発明の真空チューブ部の実施形態の側面図を示す。
【図２】図２は、真空ライン部及び図１に示す真空部に気密又は液密に封止されたチャンバー部を含み、それによって取り外し可能な創傷浸出物捕集装置を形成する本発明の流体吸収チャンバーの実施形態の側面図を示す。
【図３】図３は、図２に示す本発明の実施形態の断面図を示す。
【図４】図４は、図１に示す、脱臭剤及び抗菌材料をさらに含む本発明の実施形態の側面図を示す。
【発明を実施するための形態】
【００１３】
本発明は、添付の図面と合わせて考慮される時、以下の詳細な説明を参照することによって、この分野の当業者によって最も良く理解され得る。
【００１４】
ここで本発明の実施形態を詳細に参照するが、それらの例は添付の図面に示されている。以下の詳細な説明を通して、同じ参照符号は、図における同一又は同様の要素を参照する。
【００１５】
図１を参照すれば、本発明のある実施形態の側面図が示される。陰圧源１０は、典型的には創傷浸出物源２０の反対側に配置され、真空チューブ３０によって創傷浸出物源２０に接続される。
【００１６】
真空チューブは、第１端１００、第２端１１０、及び中間部１２０を備える。中間部１２０は、壁５５０を貫通する１つ以上の孔（perforations）４００を有する壁５５０、第１端５００、及び第２端５１０を備える。真空チューブは、内部表面１３０及び外部表面１４０をさらに備える。１つ以上の孔４００は、壁５５０の内部表面１３０から外部表面１４０への創傷浸出物の流れを作る。
【００１７】
図１は、真空チューブ３０を満たし、内部表面１３０に接触する１つ以上のプラグ２６０Ａ及び２６０Ｂも示す。１つ以上のプラグ２６０Ａ及び２６０Ｂは、中間部１２０の第１端５００と、真空チューブ３０の第１端１００との間に配置される。１つ以上のプラグ２６０Ａ及び２６０Ｂは、透湿性材料を含む。本発明のある実施形態によれば、１つ以上のプラグ２６０Ａ及び２６０Ｂは、防水性材料を含む。
【００１８】
図１は、真空チューブ３０内の圧力をモニタすることによって効果的な創傷療法を可能にする真空ゲージ３５を示す。図１は、１つ以上のプラグ２６０Ａ及び２６０Ｂと陰圧源１０との間に配置された第１真空ラインコネクタ５０を示す。真空ラインコネクタ５０は、真空チューブ３０に取り付けられた真空ラインコネクタ８０に接続する。図１は、真空チューブの第２端１１０と創傷浸出物源２０との間の第２真空ラインコネクタ４０をさらに示す。真空ラインコネクタ４０は、真空チューブ３０に取り付けられた真空ラインコネクタ９０に接続する。真空ラインコネクタ５０及び４０は、創傷浸出液捕集装置を迅速かつ容易に取り外したり、交換したりすることを可能にする。
【００１９】
図１は、１つ以上のプラグ２６０と第１真空ラインコネクタ５０との間の第１チューブクランプ７０を示す。図１は、中間部１２０の第２端部５１０と第２真空ラインコネクタ４０との間の第２クランプ６０も示す。クランプ７０及び６０は、創傷浸出液捕集装置の取り外し及び交換の間に、創傷浸出物の分離及び収容を可能にする。
【００２０】
図１及び図２は、閉じているクランプを示す。しかし創傷浸出物の捕集の間は、クランプ７０及び６０は、流体の流れ、及び陰圧源１０と創傷浸出物源２０との間の圧力（真空）差を最大にするために開放される。
【００２１】
図２は、創傷浸出物捕集装置の壁５５０を囲むチャンバー１９０を示す。チャンバー１９０は、第１端部２００、第２端部２１０、及び中間部２２０を備える。チャンバーは、内部表面２３０及び外部表面２４０を有する。
【００２２】
図２は、真空チューブ３０の外部表面１４０に対して封止されているチャンバー１９０の第１端部２００、及びチャンバー１９０の第２端部２１０も示す。
【００２３】
吸収材料３００は、チャンバー１９０の内部表面２３０及び壁５５０の外部表面１４０の間に配置される。吸収材料３００は、１つ以上の孔４００に隣接している。
【００２４】
図２及び図３は、１つ以上の孔４００及び吸収材料３００の間の空間と、壁５５０及び吸収材料３００の間の空間とを示すことによって個別の要素をより明りょうに示す。本発明のある実施形態においては、１つ以上の孔４００及び吸収材料３００の間には空間がなく、壁５５０及び吸収材料３００の間にも空間はない。
【００２５】
本発明のある実施形態においては、吸収材料３００は、フィルタ材料を備える。本発明の他の実施形態においては、吸収材料３００は、流体を効果的に移動させるが、乾燥剤は移動させない、液体透過性バリア材料を備える。吸収材料３００は、創傷浸出物が創傷浸出物源２０から陰圧源１０へ向かって移動する時に、創傷浸出物が壁５５０の１つ以上の孔４００からチャンバー１９０の中へと移動させられるようにする手段を提供する。吸収材料３００が脱臭剤を備えることは本発明の範囲内であると想定される。吸収材料が抗菌材料を備えることも本発明の範囲内であると想定される。
【００２６】
壁５５０は、吸収材料３００が詰まったり、陰圧源１０から創傷浸出物源２０への陰圧の印加を閉塞させたりしないように、支持を提供する。壁が、遮蔽物、さまざまなメッシュ、スキャホールド、ロッド及びバーのような構造体を含み得ること、又は吸収材料の内在的な剛性から形成され得ることは、本発明の範囲内であると想定される。
【００２７】
図２は、吸収材料３００及びチャンバー１９０の内部表面２３０の間に配置された乾燥材料３１０を示す。乾燥材料３１０は、吸収材料３００からの創傷浸出物を吸収する。乾燥材料３１０による創傷浸出物の吸収によって、その材料が創傷浸出物源２０から陰圧源１０へ向かって中間部１２０の壁５５０に沿って流れる時に、吸収材料３００がさらなる創傷浸出物を１つ以上の孔４００から移動させることが可能になる。
【００２８】
ここに説明され開示された本発明を製造するための多くの異なる製造手法が存在する。例としてチャンバー１９０は、最も内側のチューブ３０の外部表面１４０が第１外側直径を有する、３つの直径を有する、ある長さの真空チューブを用いることによって、その意図された目的のために製造され、準備され得る。第１外側直径とほぼ等しい内側直径を有する第１真空チューブは、中間部１２０及びその第１端部１００の間のチューブ３０に通され、すなわち壁５５０内の孔４００及びチューブクランプ７０の間に通され、それによってチューブ３０と気密又は液密な封止が形成される。第１真空チューブの外側直径とほぼ等しい内側直径を有し、チューブ３０の第１端１００及び第２端１１０の間の距離とほぼ等しい長さを有する第２真空チューブは、チューブ３０及び第１チューブに通され、それによってチャンバー１９０の第１端部２００に対応する中間部１２０の一端において気密又は液密な封止が形成される。第２チューブの開放端は、吸収材料３００で充填されている。第１外部直径にほぼ等しい内部直径を有する第２真空チューブは、中間部１２０及びその第２端１１０の間においてチューブ３０に通され、それによってチャンバー１９０の第２端部２１０に対応する中間部１２０の他端において気密又は液密な封止が形成される。もしチューブの直径が十分な気密又は液密及び真空封止を提供しないなら、シリコーン又は他の封止混合物がさらなる封止性能を提供し得る。
【００２９】
本発明のある実施形態においては、真空チューブは可撓性を有する。本発明の他の実施形態においては、チャンバーは可撓性を有する。本発明のさらに他の実施形態においては、チャンバーは円筒形であり、チューブに沿った軸を有する。
【００３０】
本発明のある実施形態においては、１つ以上の孔４００が壁５５０の円周にわたって配置される。本発明の他の実施形態においては、チャンバー１９０は、壁５５０の円周にわたって配置される。本発明のさらに他の実施形態においては、吸収材料３００は、壁５５０の外部表面１４０の円周にわたって配置される。１つ以上の孔の個々の大きさがナノメートルから数センチメートルの長さ及び幅であることも本発明の範囲内であると想定される。
【００３１】
図３は、本発明の創傷浸出液捕集チャンバーの実施形態の断面図を示す。壁５５０は、１つ以上の孔４００を有し、これが創傷浸出物（不図示）が壁５５０の内側から外側へ、それから吸収材料３００へと流れることを可能にする。創傷浸出物は、吸収材料３００から乾燥材料３１０へ流れ、この乾燥材料３１０はチャンバー１９０の中に入れられている。
【００３２】
電池で駆動される、交流電源で駆動される、又は手動で駆動される陰圧源を含む、任意の個数の陰圧源が本発明の範囲内であると想定される。
【００３３】
図４は、本発明の他の実施形態の側面図を示す。抗菌材料がチャンバー内に配置され、チューブの孔が開けられた部分から吸収材料によって分離されていることが本発明の範囲内であると想定される。脱臭剤がチャンバー内に配置され、チューブの孔が開けられた部分から吸収材料によって分離されていることが本発明の範囲内であると想定される。図４において、創傷浸出液チャンバー１９０は、脱臭剤６００を備える。図４は、チャンバー１９０内に含まれる抗菌材料７００も示す。
【００３４】
本発明の前述の記載は、例示及び説明の目的のために示されたのであって、網羅的であり、又は本発明を開示されたものと全く同じ形態に限定するようには意図されず、上記教示に照らせば、多くの改変物及び変化形が明らかに可能である。実施形態は、本発明の原理及びその実際の応用例を最も良く説明するために選択及び記載され、これによって当業者は、想定される具体的な使用に適するように、さまざまな実施形態において、さまざまな改変と共に、本発明を最も良く利用することができる。本発明の範囲は、ここに添付の特許請求の範囲によって規定されることが意図される。
【図１】
2014500753.tif 000003
【図２】
2014500753.tif 000004
【図３】
2014500753.tif 000005
【図４】
2014500753.tif 000006
【国際調査報告】
2014500753.tif 000007